(57)【要約】本発明は、洗車機に使用するのに適した組成物に関し、該組成物は車両から洗い落とされる有機物を分解する微生物を含む。洗車機に使用される洗浄水中に微生物を含むことにより、微生物を用いた洗車機の処理の頻度が洗車機の使用頻度に比例するということを含めた様々な利点がある。このため、洗車機を頻繁に使用するほど、一般により多くの有機物が堆積するが、処理の頻度が使用頻度に比例するため、ますます多くの微生物が供給されて、高濃度になった有機物を処理する。結果として、有機物の増加率が大幅に低減され、洗浄水を長く再利用できるようになり、特に臭気を抑えるための殺生剤の付与も少量で済むかもしくは不要であるため、洗車機の運転費の削減につながる。【特許請求の範囲】
【請求項１】
洗浄水添加剤として洗車機の洗浄水に使用するのに適した組成物であって、水および微生物を含む組成物。
【請求項２】
洗車機の洗剤組成物として使用するのに適した組成物であって、微生物および洗剤を含む組成物。
【請求項３】
水を含む、請求項2に記載の組成物。
【請求項４】
防腐剤、アルカリ金属ハロゲン化物、1種以上の界面活性剤または染料あるいはその両方を含む、請求項2または請求項3に記載の組成物。
【請求項５】
1〜10重量%の微生物、好ましくは3〜8重量%の微成物、より好ましくは約5重量%の微成物を含む、請求項1から請求項4のいずれかに記載の組成物。
【請求項６】
前記微生物が天然由来である、請求項1から請求項5のいずれかに記載の組成物。
【請求項７】
前記微生物が、油分、脂肪分または有機物質あるいはその両方を分解することができる、請求項1から請求項6のいずれかに記載の組成物。
【請求項８】
水を吐出する手段と、洗剤組成物を吐出する手段と、任意に1つ以上の洗車装置とを含む洗車機を運転する方法であって、前記洗剤組成物または前記洗浄水中に微生物あるいはその両方を提供することを含む方法。
【請求項９】
前記洗車機が、自動車、バス、大型トラック、キャラバンまたは列車用であり、好ましくは自動車またはバス用である、請求項8に記載の方法。
【請求項１０】
前記洗車機が自動運転される、請求項8または請求項9に記載の方法。
【請求項１１】
洗剤を供給する手段と、洗浄水を供給する手段と、1つ以上の洗車装置とを含む洗車機中の藻の繁殖を低減する方法であって、前記洗剤組成物または前記洗浄水中あるいはその両方に微生物を提供することを含む方法。
【請求項１２】
微生物を用いて洗車機を処理する方法であって、洗浄水を供給する手段と、洗剤組成物を供給する手段と、1つ以上の洗車装置とを含む洗車機の処理の頻度がその使用頻度に比例し、前記洗浄水または前記洗剤組成物中あるいはその両方に微生物を提供するステップを含む方法。
【請求項１３】
洗車機に使用するための洗剤組成物または洗浄水あるいはその両方への微生物の使用。
【発明の詳細な説明】
【技術分野】
【０００１】
本発明は、洗車機に使用するための新規な生分解性の洗剤組成物および洗浄水添加剤、ならびに該洗剤組成物または添加剤を用いて洗車機を運転する方法を提供するものである。
【背景技術】
【０００２】
洗車領域の問題は、車両から洗い落とされる有機物質が堆積することである。その結果として、洗車領域は時々清掃して、洗車機の汚水溜めの汚水を時には空にしなければならない。さらなる問題は、有機物質が腐敗して臭気を発生したり藻の繁殖を助長したりすることである。通常、殺生剤を加えて臭気を抑える試みがなされている。
【０００３】
一般に市販されている洗車機は使用済みの洗浄水を排出する集水槽を備えている。かかる集水槽に微生物の調製物を供給して、廃液中の有機物質を分解することは知られている。かかる供給は不便であり、また有効に使用するためには市販の洗車機のオペレータはこの作業を忘れないようにしなければならないことが現在認識されている。
【特許文献１】US571590A
【発明の開示】
【発明が解決しようとする課題】
【０００４】
これらの問題を改善する方法が求められている。
【課題を解決するための手段】
【０００５】
本発明によれば、洗車機に使用するのに適した洗剤組成物であって、微生物および洗剤を含む組成物が提供される。
【０００６】
本発明によれば、洗車機の洗浄水に使用するための洗浄水添加剤であって、微生物を含む添加剤がさらに提供される。
【０００７】
本発明によれば、水を吐出する手段と、洗剤組成物を吐出する手段と、任意に1つ以上の洗車装置とを含む洗車機を運転する方法であって、該洗剤組成物および/または該洗浄水中に微生物を提供することを含む方法がさらに提供される。
【０００８】
洗車機に使用される洗剤組成物または洗浄水中に微生物を含むことにより、微生物を用いた洗車機の処理の頻度が、洗車機の使用頻度に比例することを含めた様々な利点がある。このため、洗車機を使用すればするほど、一般により多くの有機物が堆積するが、処理の頻度が使用頻度に比例するため、ますます多くの微生物が供給されて、高濃度になった有機物を処理する。結果として、有機物の増加率が大幅に低減され、洗浄水を長く再利用できるようになり、特に臭気を抑えるための殺生剤の付与も少量で済むかもしくは不要であるため、洗車機の運転費の削減につながる。
【０００９】
さらなる利点は、微生物が洗剤組成物または洗浄水と一緒に噴霧されるため、微生物が洗車機の全ての部分に行き渡ることである。したがって、本発明による組成物または添加剤、あるいは本発明による方法を用いることによって、洗車機の届きにくい部分の有機物質の堆積も防ぐことができる。
【００１０】
洗車領域は、有機物の膜や藻の繁殖のためぬめりを帯びていることがある。この問題に対処するために、いずれは洗浄機を清掃する必要がある。本発明の別の利点は、さらなる清掃を必要とせずにぬめりの問題が軽減されることである。
【発明を実施するための最良の形態】
【００１１】
本発明は、自動車、バス、大型トラック、キャラバンまたは列車を洗浄するのに適した洗車機に適用することができる。好ましくは、本発明は自動車またはバスの洗浄に用いるものである。洗車機は任意に自動運転(例えばドライブスルーの洗車機)であっても、あるいは手動運転であってもよい。
【００１２】
一定の範囲の微生物を本発明の微生物として用いることができる。好ましくは、微生物は天然由来である。より好ましくは、微生物は特に車両から洗い落とされる有機物、より具体的には油分、脂肪分および/または汚れ、例えば泥やプラント排水などの有機物質を分解することができるものである。
【００１３】
自動運転の洗車機は一般に、回転ブラシなどの1つ以上の洗車装置、特に圧力下で洗浄水を吐出するためのノズルまたは噴霧ヘッドなどの洗浄水を供給する1つ以上の手段、および洗剤組成物を供給する1つ以上の手段を備えており、該洗剤組成物を供給する手段は、上記洗浄水を供給する手段と同一であっても異なっていてもよく、かつ一般にノズルまたは噴霧ヘッドの形態をとっている。洗浄装置は任意に1つ以上の乾燥機をさらに備えていてもよい。
【００１４】
洗浄装置は一般に建物の中に収容されている。従来の洗剤を用いた場合、回転ブラシと加圧された水の動作が組み合わされることによって、車両から落とされた汚れが建物全体に拡がる場合がある。このことにより建物は清掃するのが困難になる。本発明の利点は、微生物が建物全体にも同様に噴霧されることである。
【００１５】
本発明による組成物は水性組成物であることが好ましい。微生物は有機物を分解する能力により選択された天然由来の微生物であることが好ましい。適した微生物の選択は当業者には自明であろう。組成物は任意に、防腐剤、アルカリ金属ハロゲン化物(特に塩化ナトリウム)、1種以上の界面活性剤、および/または染料をさらに含む。
【００１６】
本発明に使用するための界面活性剤は任意に、イオン性、特に両性または陰イオン性、あるいは非イオン性である。界面活性剤は異なる界面活性剤の配合物の形態をとっていることが好ましい。適した陰イオン界面活性剤の例としては、ドデシルベンゼンスルホン酸ナトリウム、例えばステパンUKリミテッド(Stepan  UK  Ltd.)によって製造されているバイオ-ソフト(Bio-Soft)SDBS  60(商品名)などのアルキルベンゼンスルホン酸アルカリ金属、またはアルカリ金属アルキルエトキシサルフェート、例えばハンツマン・サーフェス・サイエンシズ(Huntsman  Surface  Sciences)によって製造されているエンピコール(Empicol)ESC  3/G2(商品名)などのラウリルエトキシ(3EO)硫酸ナトリウムが挙げられる。非イオン性界面活性剤の一例としては、POE-(11)-合成第一級C13/C15アルコール、例えばユニケマ(Uniqema)によって製造されているシンペロニック(Synperonic)A11(商品名)などのアルコールエトキシレートがある。
【００１７】
添加剤および/または組成物は、1〜10重量%の微生物、好ましくは3〜8重量%の微生物、より好ましくは約5重量%の微生物を含むことが好ましい。好ましくは、組成物は、0.1〜2重量%の防腐剤、より好ましくは0.3〜1重量%の防腐剤、最も好ましくは約0.5重量%の防腐剤をさらに含む。好ましくは、組成物は、1〜40重量%の界面活性剤および/または洗剤、好ましくは5〜30重量%、最も好ましくは約20重量%の界面活性剤および/または洗剤を含む。好ましくは、組成物は、0.5〜5重量%のアルカリ金属ハロゲン化物、より好ましくは1〜3重量%、最も好ましくは約2重量%を含む。
【００１８】
本発明の第2の態様によれば、洗剤を供給する手段と、洗浄水を供給する手段と、1つ以上の洗車装置とを含む洗車機中の藻の繁殖を低減する方法であって、該洗剤組成物および/または該洗浄水中に微生物を提供することを含む方法が提供される。本発明の第2の態様による方法は、好ましくは洗車機中の有機汚染物質の堆積を低減する。
【００１９】
本発明の第3の態様によれば、微生物を用いて洗車機を処理する方法であって、洗浄水を供給する手段と、洗剤組成物を供給する手段と、1つ以上の洗車装置とを含む洗車機の処理の頻度がその使用頻度に比例し、該洗浄水および/または該洗剤組成物中に微生物を提供するステップを含む方法が提供される。
【００２０】
本発明によれば、洗車機に使用するための洗剤組成物および/または洗浄水への微生物の使用がさらに提供される。
【００２１】
ここで、あくまでも例として提供される以下の実施例を参照して、本発明をさらに説明する。
【実施例】
【００２２】
実施例1
表1に示された成分を総重量が10kgになるように混合することによって、洗剤組成物を調製した。
【００２３】
【表１】
2005529215.tif 000002
【００２４】
表1中、(a)バイオバン(Bioban)CS  1246(商品名)は、アンガス・へミー(Angus  Chemie)GmbHによって製造されているオキサゾリジン(1-アザ-3,7-ジオキサ-5-エチルビシクロ(3.3.0)オクタン)を含有する防腐剤(抗菌剤)である。
【００２５】
(b)バイオ-ソフト(Bio-Soft)SDBS  60(商品名)は、ステパンUKリミテッド(Steppan  UK  Limited)によって製造されているドデシルベンゼンスルホン酸ナトリウム水溶液である。
【００２６】
(c)エンピコール(Empicol)ESC  3/G2(商品名)は、ハンツマン・サーフェス・サイエンシズ(Huntsman  Surface  Sciences)によって製造されているラウリルエトキシ(3EO)硫酸ナトリウム水溶液である。
【００２７】
(d)ドリマレン・ブリル・グリーン(Drimarene  Brill  Green)3-XG(商品名)は、クラリアントUKリミテッド(Clariant  UK  Limited)によって製造されている反応性ニッケルフタロシアニン染料である。
【００２８】
(e)シンペロニック(Synperonic)A11(商品名)は、ユニケマ(Uniqema)によって製造されているPOE-(II)-合成第一級C13/C15アルコールである。
【００２９】
(f)バイケム(Bichem)GC  700L  NS(10X  NF)(商品名)は、ノボザイムズ・バイオロジカルズ・フランスS.A.(Novozymes  Biologicals,France  S.A.)によって製造されているバチルス(Bacillus)菌を99%超含有する水性の液体調製物である。
【００３０】
組成物は自動運転の洗車機に使用した。8週間後、廃棄物の増加率が75%減少し、再利用された水の臭気が完全に消え、洗車機の床領域のぬめりが低減されたことが観察された。別の測定試験では、廃棄物の増加率が50%超減少した。
【００３１】
実施例2
表2に示された成分を以下に定められた割合で混合することによって、重量10kgの洗浄水添加剤組成物を調製した。
【００３２】
【表２】
2005529215.tif 000003
【国際調査報告】
2005529215.tif 000004
2005529215.tif 000005
2005529215.tif 000006